(57)【要約】【課題】種々の規格の分電盤に対してブレーカを簡易に適合させることができるブレーカ端子アダプタ及び該端子アダプタを備えたブレーカを提供する。【解決手段】ブレーカ端子アダプタ１は、アダプタ本体１０と、アダプタ本体１０の一端側でブレーカ２の二次側端子２２ａ，２２ｂ，２２ｃに電気的に接続可能な第１接続部１１と、第１接続部１１と導通し、アダプタ本体１０の他端側で規格の異なる分電盤の銅バー３ａ，３ｂ，３ｃに対応してこれに電気的に接続可能な第２接続部１２とを備える。【選択図】図２
2009201239.tif 000002
【特許請求の範囲】
【請求項１】
ブレーカと種々の規格の分電盤とを電気的に接続するためのブレーカ端子アダプタであって、
アダプタ本体と、
前記アダプタ本体の一端側で前記ブレーカの複数の端子に電気的に接続可能な第１接続部と、
前記第１接続部と導通し、前記アダプタ本体の他端側で前記分電盤の接続部材に対応して、該接続部材に電気的に接続可能な第２接続部と
を備えることを特徴とするブレーカ端子アダプタ。
【請求項２】
請求項１記載のブレーカ端子アダプタにおいて、
前記第２接続部は、前記アダプタ本体に前記複数の端子の並ぶ方向にスライド自在に設けられてなることを特徴とするブレーカ端子アダプタ。
【請求項３】
請求項２記載のブレーカ端子アダプタにおいて、
前記アダプタ本体が箱体であって、
前記第２接続部は、前記アダプタ本体の内側面との間に凹凸溝を介してスライド自在に設けられることを特徴とするブレーカ端子アダプタ。
【請求項４】
請求項２又は３記載のブレーカ端子アダプタにおいて、
前記第１接続部は、前記複数の端子の並ぶ方向に延びる第１長尺電極を有し、
前記第２接続部は、前記長尺電極に接触する接点電極を有することを特徴とするブレーカ端子アダプタ。
【請求項５】
請求項１記載のブレーカ端子アダプタにおいて、
前記第２接続部は、前記複数の端子の並ぶ方向に延びる第２長尺電極からなることを特徴とするブレーカ端子アダプタ。
【請求項６】
請求項１乃至５のいずれか１項記載のブレーカ端子アダプタを備えることを特徴とするブレーカ。
【発明の詳細な説明】
【技術分野】
【０００１】
本発明は、ブレーカと種々の規格の分電盤とを電気的に接続するためのブレーカ端子アダプタ及び該ブレーカ端子アダプタを備えたブレーカに関する。
【背景技術】
【０００２】
住宅用の単相３線式分電盤としては、特許文献１の図１に見られるように、分電盤の箱体に、主ブレーカと、複数の分岐ブレーカと、主ブレーカの二次側と複数の分岐ブレーカとを接続する複数の銅バーとを備えてなるものが知られている。
【０００３】
ここで、銅バーは、各分岐ブレーカ側の端子位置に対応して突出した突出部が複数設けられており、各分岐ブレーカはその端子位置を銅バーの突出部に合わせて配置することで、主ブレーカから各分岐ブレーカに１００Ｖ又は２００Ｖの電圧を供給する。特に、分岐ブレーカの端子が、特許文献１に見られるようなプラグイン式のものである場合には、銅バーの突出部を分岐ブレーカの端子部に挿入することで、分電盤において各分岐ブレーカを容易に設置又は交換することができると共に、主ブレーカと各分岐ブレーカとの接続経路を簡単化して分電盤を小型化することができる。
【０００４】
同様に主ブレーカについても、銅バーの主ブレーカ側の一端をその二次側端子に接続可能に構成することで、分電盤での主ブレーカの設置又は交換を簡単に行える。
【特許文献１】特開平９−１６３５２２号公報
【発明の開示】
【発明が解決しようとする課題】
【０００５】
しかしながら、一般住宅等の需要家に設置される分電盤はその設置スペースを考慮して小型化が図られているところ、種々の規格の分電盤には、それぞれで求められる外形寸法と定格性能に合った主ブレーカや分岐ブレーカを使用する必要がある。特に、ブレーカの端子間の間隔が異なるブレーカ同士は、たとえ定格性能が同等であっても同じ分電盤に取り付けることが困難となっている。
【０００６】
そのため、例えば、ブレーカに不具合が生じて需要家が停電状態となっている場合には、停電復旧を行う作業者は、不具合を生じているブレーカや該ブレーカが設置されている分電盤を確認し、外形寸法と定格性能から使用可能なブレーカを特定しなければならない。さらに、特定したブレーカが手元にない場合には、改めて注文等して取り寄せる必要がある。特に、停電状態が夜間に発生した場合には、必要なブレーカを取り寄せることも困難となり、停電の復旧が需要家の意に反して遅れることもあり得る。
【０００７】
そこで、本発明は、種々の規格の分電盤に対してブレーカを簡易に適合させることができるブレーカ端子アダプタ及び該端子アダプタを備えたブレーカを提供することを目的とする。
【課題を解決するための手段】
【０００８】
本発明のブレーカ端子アダプタの第１の態様は、アダプタ本体と、前記アダプタ本体の一端側で前記ブレーカの複数の端子に電気的に接続可能な第１接続部と、前記第１接続部と導通し、前記アダプタ本体の他端側で前記分電盤の接続部材に対応して、該接続部材に電気的に接続可能な第２接続部とを備えることを特徴とする。
【０００９】
かかるブレーカ端子アダプタの第１の態様では、第１接続部がブレーカの端子に接続されると共に、該第１接続部と導通した第２接続部が規格の異なる種々の分電盤の接続部材に接続可能に構成される。これにより、１つのブレーカを種々の規格の分電盤に適合させて用いることができる。
【００１０】
例えば、ブレーカに不具合が生じて需要家が停電状態となっている場合に、従来であればブレーカの端子間の間隔が異なるために分電盤に用いることができなかったブレーカを、本発明のブレーカ端子アダプタを介して使用することができる。そのため、定格性能が同じで外形寸法の異なるブレーカを規格の異なる分電盤に設置することができ、停電状態を仮復旧することなどが可能となる。
【００１１】
具体的には、本発明のブレーカ端子アダプタの第１の態様において、前記第２接続部は、例えば、前記アダプタ本体に前記複数の複数の端子の並ぶ方向にスライド自在に設けられてなる。第２接続部と第１接続部との導通を維持させつつ、第２接続部をブレーカの複数の端子の並ぶ方向にスライド自在に構成することで、規格の異なる種々の分電盤の接続部材に対して第２接続部を接続可能に構成することができる。
【００１２】
また、本発明のブレーカ端子アダプタの第１の態様において、前記アダプタ本体が箱体であって、前記第２接続部は、前記アダプタ本体の内側面との間に凹凸溝を介してスライド自在に設けられる。第２接続部を、箱体のアダプタ本体内で、凹凸溝のいずれか一方を第２接続部側に設けると共に他方をアダプタ本体の内側面に設けてスライド自在に構成することで、第２接続部を分電盤の接続部材に対して位置合わせすることができ、第２接続部と接続部材とを確実に接続することができる。
【００１３】
さらに、本発明のブレーカ端子アダプタの第１の態様において、前記第１接続部は、前記複数の端子の並ぶ方向に延びる第１長尺電極を有し、前記第２接続部は、前記長尺電極に接触する接点電極を有する。第１接続部側に第１長尺電極を設け、第２接続部側に第１長尺電極に接触する接点電極を設けることで、第２接続部と第１接続部との導通を維持させつつ、第２接続部をスライド自在に構成することができる。
【００１４】
また、本発明のブレーカ端子アダプタの第２の態様において、前記第２接続部は、前記複数の端子の並ぶ方向に延びる第２長尺電極からなる。第２接続部を前記複数の端子の並ぶ方向に延びる電極形状とすることで、分電盤側の接続部材は、第２接続端子のいずれかの部分で接点を有する。そのため、従来であればブレーカの端子間の間隔が異なるために当該分電盤に用いることができなかったブレーカをブレーカ端子アダプタを介して使用することができる。さらに、この場合、第２接続部は複数の端子の並ぶ方向に幅広となっているため、第２接続部と分電盤側の接続部材とを互いに位置合わせする必要もない。
【００１５】
また、本発明のブレーカは、前記ブレーカ端子アダプタを備えることを特徴とする。これにより、本発明のブレーカは種々の規格の分電盤に簡易に適合して用いることができる。
【発明を実施するための最良の形態】
【００１６】
以下で説明する実施形態のブレーカ端子アダプタは、主ブレーカと種々の規格の分電盤とを電気的に接続するためのものである。
（第１実施形態）
図１に示すように、本実施形態のブレーカ端子アダプタ１は、図示しない単相３線式分電盤に接続される主ブレーカ２と分電盤側の接続部材である複数の銅バー３ａ，３ｂ，３ｃとの間に介在して、主ブレーカ２の複数の二次側端子２２ａ，２２ｂ，２２ｃをそれぞれ銅バー３ａ，３ｂ，３ｃに電気的に接続する。
【００１７】
ブレーカ端子アダプタ１が適用される主ブレーカ２は、各需要家の契約電流を規定するブレーカあって、図示しない電柱から引込み線及び電力量計等を介して一次側端子２１ａ，２１ｂ，２１ｃに電力が供給される。一次側端子２１ａ，２１ｂ，２１ｃは、それぞれ雌螺子孔２３ａ，２３ｂ，２３ｃを有する電極板からなり、図１では、一端が図示しない電力量計に接続された電線１２１ａ，１２１ｂ，１２１ｃの他端部が一次側端子２１ａ，２１ｂ，２１ｃに螺子止めされている。
【００１８】
一方、主ブレーカ２の二次側端子２２ａ，２２ｂ，２２ｃは、それぞれ雌螺子孔２４ａ，２４ｂ，２４ｃを有する電極板からなり、分電盤に合致した主ブレーカであれば、銅バー３ａ，３ｂ，３ｃの間隔と二次側端子２２ａ，２２ｂ，２２ｃの間隔とが等間隔となり、銅バー３ａ，３ｂ，３ｃを直接、二次側端子２２ａ，２２ｂ，２２ｃに接続することができる。ここで、図１の主ブレーカ２は、分電盤から特定される定格性能を有するが、二次側端子２２ａ，２２ｂ，２２ｃの間隔がバー３ａ，３ｂ，３ｃの間隔と異なっている。特に、図１で、主ブレーカ２は、種々の規格の分電盤に収納されて取り付けられるよう、同じ定格性能を有する主ブレーカの中でその外形形状が最小のものが用いられている。
【００１９】
ブレーカ端子アダプタ１は、アダプタ本体１０と、アダプタ本体１０の一端側で主ブレーカ２の二次側端子２２ａ，２２ｂ，２２ｃに接続する第１接続部１０と、アダプタ本体１０の他端側で銅バー３ａ，３ｂ，３ｃに接続する第２接続部１２（図２参照）とを備える。アダプタ本体１０は、箱体であって、他端側が銅バー３ａ，３ｂ，３ｃに向かって開口されており、かかる開口部位に第２接続部１２が設けられている。
【００２０】
第１接続部１１は、第１電極１１ａ，１１ｂ，１１ｃからなり、各第１電極１１ａ，１１ｂ，１１ｃは、それぞれ主ブレーカ２の二次側端子２２ａ，２２ｂ，２２ｃに対応する間隔となっている。また、第１電極１１ａ，１１ｂ，１１ｃは、それぞれ主ブレーカ２の二次側端子２２ａ，２２ｂ，２２ｃに対応する部位に貫通孔１３を有し、貫通孔１３に挿通された螺子具を雌螺子孔２４ａ，２４ｂ，２４ｃに螺子止めすることにより、第１電極１１ａ，１１ｂ，１１ｃがそれぞれ二次側端子２２ａ，２２ｂ，２２ｃに接続される。
【００２１】
一方、第１２接続部１２は、クリップ状の第２電極１２ａ，１２ｂ，１２ｃ（図２参照）からなり、各第２電極１２ａ，１２ｂ，１２ｃは、後述するようにそれぞれの間隔が可変で銅バー３ａ，３ｂ，３ｃを挟持することができる。
【００２２】
次に、図２及び図３を参照して、ブレーカ端子アダプタ１の構造について説明する。図２は、ブレーカ端子アダプタ１の内部構造を示す斜視図であり、図３は、図２のIII−III線断面図である。
【００２３】
まず、第１接続部１１は、第１電極１１ａ，１１ｃは、Ｌ字形の板体であって、その短尺辺をアダプタ本体１０の一端側から主ブレーカ２側に突出させ、長尺辺がアダプタ本体１０内で、主ブレーカ２の二次側端子２２ａ，２２ｂ，２２ｃの並ぶ方向（以下、端子の並ぶ方向という）に配置されている。また、第１電極１１ｂは、Ｔ字形の板体であって、その長尺辺をアダプタ本体の一端側から主ブレーカ２側に突出させ、短尺辺がアダプタ本体１０内で端子の並ぶ方向に配置されている。
【００２４】
また、第１電極１１ａ，１１ｂ，１１ｃは、それぞれ主ブレーカ２側への突出する部位をアダプタ本体１０の内面側で挟持する一対の挟持部材１４，１４によりアダプタ本体１０に固定されている。
【００２５】
クリップ状の第２電極１２ａ，１２ｂ，１２ｃは、それぞれアダプタ本体１０内に配置されたスライド部材３０ａ，３０ｂ，３０ｃ内に取り付けられており、それぞれ接点電極１６ａ，１６ｂ，１６ｃを介して第１電極１１ａ，１１ｂ，１１ｃに接続されている。
【００２６】
スライド部材３０ａ，３０ｂ，３０ｃは、アダプタ本体１０の内側面に端子の並ぶ方向に延びるように形成された一対の凸溝１５，１５に係合する一対の凹溝３５，３５を外側面に有する。かかる構成により、スライド部材３０ａ，３０ｂ，３０ｃは、それぞれアダプタ本体１０内を図中矢印で示すようにスライド自在に変位する。
【００２７】
第２電極１２ａ，１２ｂ，１２ｃは、それぞれクリップ状の先端部をスライド部材３０ａ，３０ｂ，３０ｃの他端側の開口部３１ａ，３１ｂ，３１ｃに臨ませるようにして、スライド部材３０ａ，３０ｂ，３０ｃの内壁に螺子止めされて固定されている。また、接点電極１６ａ，１６ｂ，１６ｃの端部が、それぞれ第２電極１２ａ，１２ｂ，１２ｃの固定部位で同じ螺子具により固定されて、互いに電気的に接続されている。接点電極１６ａ，１６ｂ，１６ｃは、第１電極１１ａ，１１ｂ，１１ｃをそれぞれ挟むように各一対により構成され、第１電極１１ａ，１１ｂ，１１ｃ側の一部が突出して、第１電極１１ａ，１１ｂ，１１ｃとの間に電気接触点を形成している。
【００２８】
上記ブレーカ端子アダプタ１によれば、第２電極１２ａ，１２ｂ，１２ｃが、端子の並ぶ方向にスライド自在であるため、１つのブレーカ２を種々の規格の分電盤の銅バー３ａ，３ｂ，３ｃに位置合わせして接続することができる。
【００２９】
そのため、例えば、分電盤に取り付けられていたブレーカに不具合が生じて需要家が停電状態となっている場合等に、同じ定格性能を有するブレーカで外形形状が最小の主ブレーカ２にブレーカ端子アダプタ１を適用することで、主ブレーカ２を規格の異なる分電盤に設置することができ、停電状態を仮復旧することなどが可能となる。
【００３０】
尚、本実施形態では、第１接続部１１が複数の第１電極１１ａ，１１ｂ，１１ｃから構成され、第２接続部１２が複数の第２電極１２ａ，１２ｂ，１２ｃから構成されて一体となっているが、図４（ａ）〜（ｃ）に示すように、複数の第１電極及び第２電極をそれぞれ別個独立に構成してもよい。この場合、アダプタ本体は、それぞれの第１電極１１ａ，１１ｂ，１１ｃ及び第２電極１２ａ，１２ｂ，１２ｃに対応して、別個独立に構成される。すなわち、図４（ａ）に示すように、アダプタ本体１０ａに、第１電極１１ａと第２電極１２ａが設けられ、図４（ｂ）に示すように、アダプタ本体１０ｂに、第１電極１１ｂと第２電極１２ｂが設けられ、図４（ｃ）に示すように、アダプタ本体１０ｃに、第１電極１１ｃと第２電極１２ｃが設けられている。他の同一の構成要素については同一の参照符号を用いて説明を省略する。
【００３１】
また、本実施形態では、主ブレーカ２の二次側にブレーカ端子アダプタ１を適用しているが、これに限定されるものではなく、主ブレーカ２の一次側が銅バー等の接続部材と接続される場合には、ブレーカ端子アダプタ１を一次側に適用するようにしてもよい。
【００３２】
（第２実施形態）
次に、図５及び図６を参照して、本発明のブレーカ端子アダプタの他の態様について説明する。図５は、第２実施形態のブレーカ端子アダプタ１の内部構造を示す斜視図であり、図６は、図２のVI−VI線断面図である。尚、この実施形態は、第１接続部１１及び第２接続部１２に関係する構成のみが相違するものであるため、他の同一の構成要素については同一の参照符号を用いて説明を省略する。
【００３３】
本実施形態において、第１接続部１１は、第１電極１７ａ，１７ｂ，１７ｃからなり、第２接続部１２は、第２電極１８ａ，１８ｂ，１８ｃからなり、第１電極１７ａ，１７ｂ，１７ｃがそれぞれ第２電極１８ａ，１８ｂ，１８ｃに接続されている。
【００３４】
各第１電極１７ａ，１７ｂ，１７ｃは、それぞれ主ブレーカ２の二次側端子２２ａ，２２ｂ，２２ｃに対応する間隔となっている。また、第１電極１７ａ，１７ｂ，１７ｃは、それぞれ主ブレーカ２の二次側端子２２ａ，２２ｂ，２２ｃに対応する部位に貫通孔１３を有し、貫通孔１３に挿通された螺子具を雌螺子孔２４ａ，２４ｂ，２４ｃに螺子止めすることにより、第１電極１７ａ，１７ｂ，１７ｃがそれぞれ二次側端子２２ａ，２２ｂ，２２ｃに接続される。
【００３５】
一方、第１２接続部１２は、クリップ状の第２電極１８ａ，１８ｂ，１８ｃからなり、各第２電極１８ａ，１８ｂ，１８ｃは、それぞれ端子の並ぶ方向に延びる長尺の電極となっている。
【００３６】
また、第１電極１７ａ，１７ｂ，１７ｃと第２電極１８ａ，１８ｂ，１８ｃとは、アダプタ本体１０内で、互いにその一部が重なって接続され、該接続位置でアダプタ本体１０に螺子止めされている。
【００３７】
さらに、本実施形態において、アダプタ本体１０は、その内部に第２電極１８ａ，１８ｂ，１８ｃの間を仕切る仕切板５ａ，５ｂが形成されており、その内部が３つの空間に分断され、それぞれ銅バー３ａ，３ｂ，３ｃに臨む開口部６ａ，６ｂ，６ｃを有する。
【００３８】
以上説明した本実施形態のブレーカ端子アダプタ１の構成によれば、種々の規格の分電盤の銅バー３ａ，３ｂ，３ｃがそれぞれ開口部ａ，６ｂ，６ｃに導入されると、それぞれ第２電極１８ａ，１８ｂ，１８ｃとの間に接点を生じる。すなわち、第２電極１８ａ，１８ｂ，１８ｃが端子の並ぶ方向に長尺に形成されているため、銅バー３ａ，３ｂ，３ｃは、それぞれクリップ状の第２電極１８ａ，１８ｂ，１８ｃに端子の並ぶ方向のいずれかの位置で挟持される。そのため、銅バー３ａ，３ｂ，３ｃと第２電極１８ａ，１８ｂ，１８ｃとの接続のための位置合わせが不要となり、１つの主ブレーカ２を種々の規格の分電盤の銅バー３ａ，３ｂ，３ｃに簡易に接続することができる。
【００３９】
尚、以上説明した各実施形態において、ブレーカ端子アダプタ１は、主ブレーカ２とは別の独立した構成となっているが、これに限定されるものではなく、第１接続部１１を主ブレーカ２の二次側端子に接続した状態で一体化したブレーカとしてもよい。
【００４０】
また、以上説明した各実施形態において、ブレーカ端子アダプタ１は、主ブレーカ２に適用していたが、これに限定されるものではなく、分電盤内に取り付けられる他のブレーカ（分岐ブレーカや漏電ブレーカなど）に適用してもよい。
【図面の簡単な説明】
【００４１】
【図１】第１実施形態におけるブレーカ端子アダプタを示す斜視図。
【図２】図１のブレーカ端子アダプタの内部構造を示す斜視図。
【図３】図２のIII−III線断面図。
【図４】第１実施形態のブレーカ端子アダプタの変更例を示す図。
【図５】第２実施形態におけるブレーカ端子アダプタ内部構造を示す斜視図。
【図６】図５のVI−VI線断面図。
【符号の説明】
【００４２】
１…ブレーカ端子アダプタ、２…ブレーカ、３ａ、３ｂ，３ｃ…銅バー（接続部材）、１０、１０ａ、１０ｂ，１０ｃ…アダプタ本体、１１…第１接続部、１１ａ，１１ｂ，１１ｃ…第１電極（第１長尺電極）、１２…第２接続部、１２ａ，１２ｂ，１２ｃ…第２電極、１５…凸溝、１６ａ，１６ｂ，１６ｃ…接点電極、１７ａ，１７ｂ，１７ｃ…第１電極、１８ａ，１８ｂ，１８ｃ…第２電極（第２長尺電極）、２１ａ，２１ｂ，２１ｃ…ブレーカの一次側端子、２２ａ，２２ｂ，２２ｃ…ブレーカの二次側端子、３０ａ，３０ｂ，３０ｃ…スライド部材、３５…凹溝。
【図１】
2009201239.tif 000003
【図２】
2009201239.tif 000004
【図３】
2009201239.tif 000005
【図４】
2009201239.tif 000006
【図５】
2009201239.tif 000007
【図６】
2009201239.tif 000008